(57)【要約】【課題】地中に染み込んだ雨水等を集めることができ、且つ強度にも優れた側溝用ブロックを提供する。【解決手段】コンクリート製の側溝用ブロック１は、対向する側壁２，３と底壁４とで流路６を形成する。側溝用ブロック１は、左右方向に対して上下方向が長い縦長形状をなし側壁２を内外に貫通する貫通穴８と、貫通穴８の外側の開口部を覆うように配置され、水の通過を許容しつつ、所定の大きさ以上の土砂等の通過を規制するフィルタ１０と、一端が貫通穴８と接続されるように側壁２の外面２ａに沿って形成され、貫通穴８との接続部が他部よりも下方に位置する溝１２と、側方視で貫通穴８を囲むようにコンクリート内に埋設された鉄筋と、を備えている。【選択図】  図１
0003232027.tif 000002
【実用新案登録請求の範囲】
【請求項１】
対向する側壁と底壁とで流路を形成するコンクリート製の側溝用ブロックであって、
左右方向に対して上下方向が長い縦長形状を成し、前記側壁を内外に貫通する貫通穴と、
前記貫通穴の外側の開口部を覆うように配置され、水の通過を許容しつつ、所定の大きさ以上の土砂等の通過を規制するフィルタと、
一端が前記貫通穴と接続されるように前記側壁の外面に沿って形成された溝であって、前記貫通穴との接続部が他部よりも下方に位置する前記溝と、
を備えている、側溝用ブロック。
【請求項２】
前記貫通穴には、前記外面の異なる高さに形成された複数の前記溝が接続されている、請求項１に記載の側溝用ブロック。
【請求項３】
前記貫通穴は前記側溝用ブロックの長手方向に離隔して複数形成されており、隣接する一方の前記貫通穴から延び出した前記溝と、他方の前記貫通穴から延び出した前記溝とを互いに繋がる位置まで延び出させている、請求項１または請求項２に記載の側溝用ブロック。
【請求項４】
前記側壁の外面における前記貫通穴の周りに前記フィルタを収容可能な窪み部が形成されている、請求項１〜３の何れか一項に記載の側溝用ブロック。
【請求項５】
前記溝および前記窪み部は、対向する前記側壁の両方に形成されている、請求項４に記載の側溝用ブロック。
【請求項６】
側方視で前記貫通穴を囲むようにコンクリート内に埋設された鉄筋が更に備えられる、請求項１〜５のいずれかに記載の側溝用ブロック。
【請求項７】
側方視で上下方向に延びる前記鉄筋の、前記貫通穴を間に含む場合のピッチが、前記貫通穴を含まない場合のピッチよりも小さく設定されている、請求項１〜６の何れか一項に記載の側溝用ブロック。
【請求項８】
前記貫通穴は前記側壁の外面から内面に向けて次第に小径となり、その上辺より下辺の傾斜が小さい請求項１〜７のいずれかに記載の側溝用ブロック。
【考案の詳細な説明】
【技術分野】
【０００１】
本考案は、地中に染み込んだ雨水等を集めることが可能な側溝用ブロックに関する。
【背景技術】
【０００２】
対向する側壁と底壁とで流路を形成する側溝用ブロックは、通常、上部開口を通じて内部に雨水等の排水を集め、集めた排水を排水勾配に沿って流下させる。また、地中に染み込んだ雨水等を集める機能を備えた側溝用ブロックもある。このような機能を備えた側溝用ブロックとしては、ポーラスコンクリート製のものが用いられている。
【０００３】
ポーラスコンクリートは、コンクリート表面から内部にまで連続的に形成された多数の空隙を有する多孔質コンクリートであるため、地中に染み込んだ雨水等を側溝用ブロックの側壁を通じて内部に集めることができる。しかしながらポーラスコンクリートの空隙率が高くなると、コンクリート自体の強度が低下するため、施工時に破損等の問題が生じる場合がある。
尚、本考案に関連する技術を開示する先行技術文献として、下記特許文献１〜３を参照されたい。
【先行技術文献】
【特許文献】
【０００４】
【特許文献１】特開平１０−１６８９８３号公報
【特許文献２】実開昭５７−１４２０２６号公報
【特許文献３】登録実用新案第２５５９３１９号公報
【考案の概要】
【考案が解決しようとする課題】
【０００５】
本考案は、上述の事情に鑑み、地中に染み込んだ雨水等を集めることができ、且つ強度にも優れた側溝用ブロックを提供することを目的とするものである。
【課題を解決するための手段】
【０００６】
本考案者らは上記課題を解決するために鋭意検討を重ねた結果、下記のように本考案に想到した。
本考案は、対向する側壁と底壁とで流路を形成するコンクリート製の側溝用ブロックであって、
左右方向に対して上下方向が長い縦長形状を成し、前記側壁を内外に貫通する貫通穴と、
前記貫通穴の外側の開口部を覆うように配置され、水の通過を許容しつつ、所定の大きさ以上の土砂等の通過を規制するフィルタと、
一端が前記貫通穴と接続されるように前記側壁の外面に沿って形成された溝であって、前記貫通穴との接続部が他部よりも下方に位置する前記溝と、
を備えていることを特徴とするものである。
【０００７】
このように本考案は、側壁に形成された貫通穴を通じて地中に染み込んだ雨水等を内部に流入させるものである。このような構成の側溝用ブロックは、鉄筋コンクリート構造により実現され、ポーラスコンクリート製の側溝用ブロックに比べて強度を高めることができる。ここで、側壁に貫通穴を設けたことによる強度の低下は、貫通穴を左右方向に対して上下方向が長い縦長形状とすることにより抑制することができる。
また貫通穴を縦長形状とした場合には、側溝用ブロックの長手方向における集水可能な領域が狭められるが、一端を貫通穴と接続させた溝を側壁の外面に沿って形成し、かかる溝により貫通穴から離れた領域に染み込んだ雨水等を貫通穴に案内可能とすることで、広い領域の雨水等を側溝用ブロックの内部に集めることができる。
【０００８】
本考案では、前記外面の異なる高さに形成された複数の前記溝を前記貫通穴に接続することができる。このようにすれば、集水可能な領域を上下方向に広げることができる。
【０００９】
本考案では、前記貫通穴を前記側溝用ブロックの長手方向に離隔して複数形成し、隣接する一方の前記貫通穴から延び出した前記溝と、他方の前記貫通穴から延び出した前記溝とを互いに繋がる位置まで延び出させることができる。このようにすれば、隣接する貫通穴と貫通穴との間に位置する集水困難な領域を、延び出させた何れか一方の溝でカバーすることができる。
【００１０】
本考案では、前記側壁の外面における前記貫通穴の周りに、前記フィルタを収容可能な窪み部を形成することができる。このようにすれば、窪み部に合わせてフィルタを容易に取り付けることができる。
【００１１】
本考案では、前記溝および前記窪み部を、対向する前記側壁の両方にそれぞれ形成することができる。このようにすれば、貫通穴を側壁の一方にのみ形成する場合および側壁の両方に形成する場合において、それぞれの側溝用ブロックを成形するための成形型における主要部分の共通化を図ることができる。
【００１２】
本考案では、側方視で上下方向に延びる前記鉄筋の、前記貫通穴を間に含む場合のピッチを、前記貫通穴を含まない場合のピッチよりも小さく設定することができる。このようにすることで、貫通穴周りの強度が高まり貫通穴を起点とする亀裂等の発生を抑制することができる。
【図面の簡単な説明】
【００１３】
【図１】図１は本考案の実施形態に係る側溝用ブロックの斜視図である。
【図２】図２は同実施形態の側溝用ブロックを、フィルタを取り除いた状態で示した側面図である。
【図３】図３は図２のIII-III矢視線断面図である。
【図４】図４は図２とは異なる側壁を示した同実施形態の側溝用ブロックの側面図である。
【図５】図５は同実施形態の側溝用ブロックに取付けられるフィルタを単体で示した図である。
【図６】図６は同実施形態の側溝用ブロックに埋設された鉄筋の配置を示した図である。
【考案を実施するための形態】
【００１４】
以下、図面を参照しながら本考案の実施形態について説明する。図１は、本考案の実施形態に係る側溝用ブロックの斜視図である。以下の説明において、上下方向とは、原則として、図１中の上下方向をいうものとする。
【００１５】
図１において、１は対向する側壁２，３と底壁４とを備え、断面略Ｕ字形をなすコンクリート製の側溝用ブロックで、その内部には流路６が形成されている。側溝用ブロック１は、埋設された状態で、上部開口５を通じて地表から流れ込む雨水等を集め、また側壁２を通じて地中に染み込んだ雨水等を集めることができるように構成されたものである。同図で示す側溝用ブロック１の長手方向寸法Ａは６００ｍｍ、幅方向寸法Ｂは３３０ｍｍ、高さ方向寸法Ｈは３００ｍｍを例示することができる。
【００１６】
側溝用ブロック１の側壁２には、貫通穴８、フィルタ１０および案内溝１２が設けられている。
【００１７】
貫通穴８は、地中に染み込んだ雨水等を側溝用ブロック１の内部に流入させるためのもので、流路６の底面６aよりも高い位置にて側壁２を内外に貫通している。この貫通穴８は、横方向（左右方向）に対して縦方向（上下方向）が長い縦長形状とされている。更に詳しくは、正面視で角丸長四角形状とされている。本例における貫通穴の上下方向寸法は１５０ｍｍ、左右方向方法は３０ｍｍを例示することができる。
【００１８】
貫通穴８は、図３で示すように、側壁２の外面２ａから内面２ｂに向け次第に小径となるよう穴の壁面が傾斜している。外方への型抜きを容易にするためである。おり、その上辺９ｂよりも下辺９ａにおいて壁面の傾斜が小さくされている。流路６への水の引き込みを容易にするためである。そして、貫通穴８の外面２ａ側にはフィルタ１０を収容可能とする窪み部１３が形成されている。
本例では、このように構成された貫通穴８が、貫通穴８Ａおよび８Ｂとして側壁２の長手方向に離隔した２箇所に形成されている。
【００１９】
案内溝１２は、側壁２の外面２ａに沿って形成された溝で、その一端が貫通穴８と接続されている。案内溝１２は、図２の部分拡大図で示すように、外面２ａと略平行な底面１４と、底面１４の両端から外面２ａに向かって開口幅を広げるようにＶ字状に延びる側面１５，１５とで構成されている。案内溝１２は、貫通穴８の周りに形成された窪み部１３よりも、底面１４が深い位置となる溝深さで形成されている。
【００２０】
また図２で示すように、案内溝１２は貫通穴８と接続する一端を起点として斜め上向きに延び出している。即ち、案内溝１２における貫通穴８との接続部は案内溝１２の他部よりも下方に位置しており、本例の側溝用ブロック１では貫通穴８から離れた位置に存在する雨水等を案内溝１２に沿って貫通穴８に案内することができる。
【００２１】
貫通穴８Ａ、８Ｂにはその縦方向の縁に沿って複数の案内溝１２が接続され、これら複数の案内溝１２は外面２ａの異なる高さに延び出している。そして、一方の貫通穴８Ａから延び出した溝１２と、他方の貫通穴８Ｂから延び出した溝１２とを互い繋がる位置まで延び出させることで、案内溝１２による集水の効果を高めている。
【００２２】
図４は、図２とは異なる側壁、即ち側壁３を示した側面図である。同図で示すように、本例では側壁３の外面３ａ側にも窪み部１３（貫通穴８は除く）および案内溝１２が形成されている。
本例では側壁２の側にのみ貫通穴８を形成しているが、場合によっては側壁３の側にも貫通穴８を形成する場合があるため、本例の側溝用ブロック１では、側壁２，３の両方に窪み部１３および案内溝１２を形成する構成が採用されている。
【００２３】
次に、フィルタ１０は、水の通過を許容しつつ、所定の大きさ以上の土砂等の通過を規制するためのもので、図１で示すように、貫通穴８の外側（外面２ａ側）の開口部を覆うように外面２ａの窪み部１３に配置される。フィルタ１０は平板状をなし、側壁２に形成された窪み部１３に収容可能な大きさとされている。フィルタ１０の周縁部を除いた、貫通穴８と対向する領域には、上下方向および左右方向に等間隔で多数の開口２１が形成されている。この開口２１の大きさは５ｍｍを例示することができる。フィルタ１０の材質は特に限定されるものではないが、金属製や合成樹脂製とすることができる。そして、フィルタ１０は接着剤等を用いて窪み部１３内に取付固定することができる。
【００２４】
本例の側溝用ブロック１は、コンクリート製のブロック本体の内部に補強用の鉄筋が埋設されている。図６は側溝用ブロック１に埋設された鉄筋の配置を示した図である。同図において、３０は略Ｕ字状に折曲げられ、各部位が側壁２、底壁４および側壁３の内部に配置される鉄筋で、側溝用ブロック１の長手方向に間隔を隔てて複数配置されている。これ以外の鉄筋３１，３２，３３は側溝用ブロック１の長手方向に直線状に延びる態様で配置され、鉄筋３１は側壁２，３の上部、鉄筋３２は側壁２，３の下部、鉄筋３３は底壁４にそれぞれ配置されている。これらの鉄筋はそれぞれの交点において溶接接合されている。
【００２５】
図６（Ａ）で示すように、鉄筋３０，３１，３２は、側方視で、貫通穴８Ａおよび８Ｂをそれぞれ囲むように配置されている。そして、縦方向（上下方向）に延びる鉄筋３０については、貫通穴８Ａもしくは８Ｂを間に含む場合のピッチＰ１が、貫通穴を含まない場合のピッチＰ２よりも小さく設定されている。側溝用ブロック１に圧力が加わった際の貫通穴８を起点とした亀裂の発生を抑制するためである。
【００２６】
以上のように構成された本実施形態の側溝用ブロック１は、長手方向に沿って複数連設され且つ側壁２，３が地中に埋設された状態で、地表から流れ込む雨水等を通じて側溝用ブロック１の内部に集め、また側壁２に形成された貫通穴８を通じて地中に染み込んだ雨水等を側溝用ブロック１の内部に集め、これらを排水として所定の場所に導くことができる。よって地中に染み込んだ雨水等を効果的に排水することができる。
【００２７】
本実施形態の側溝用ブロック１は、鉄筋コンクリート構造により実現されるため、ポーラスコンクリート製の側溝用ブロックに比べて強度を高めることができる。ここで、側壁２に貫通穴８を設けたことによる強度の低下は、貫通穴８を縦長形状とすることにより抑制することができる。
縦長形状の貫通穴８は側溝用ブロック１の長手方向における集水可能な領域を狭めるが、一端を貫通穴８と接続させた案内溝１２を側壁２の外面２ａに沿って形成し、貫通穴８から離れた領域に染み込んだ雨水等を貫通穴８に案内可能とすることで、広い領域の雨水等を側溝用ブロック１の内部に集めることができる。
【００２８】
本実施形態の側溝用ブロック１では、外面２ａの異なる高さに形成された複数の溝１２を貫通穴８に接続させているため、集水可能な領域を上下方向に広げることができる。
【００２９】
本実施形態の側溝用ブロック１では、貫通穴８を側溝用ブロック１の長手方向に離隔して複数形成し、隣接する一方の貫通穴８Ａから延び出した案内溝１２と、他方の貫通穴８Ｂから延び出した案内溝１２とを互いに繋がる位置まで延び出させている。このようにすることで、隣接する貫通穴８Ａと貫通穴８Ｂとの間に位置する集水困難な領域を何れか一方の案内溝１２でカバーすることができる。
【００３０】
本実施形態の側溝用ブロック１では、側壁２の外面２ａにおける貫通穴８の周りにフィルタ１０を収容可能な窪み部１３が形成されており、窪み部１３に合わせてフィルタ１０を容易に取り付けることができる。
【００３１】
本実施形態の側溝用ブロック１では、案内溝１２および窪み部１３を、対向する側壁２，３の両方にそれぞれ形成しているため、貫通穴８を側壁の一方にのみ形成する場合および両方に形成する場合において、それぞれの側溝用ブロックを成形するための成形型における主要部分の共通化を図ることができる。
【００３２】
本実施形態の側溝用ブロック１では、側方視で上下方向に延びる鉄筋３０の、貫通穴８を間に含む場合のピッチＰ１を、貫通穴８を含まない場合のピッチＰ２よりも小さく設定することで、貫通穴８周りの強度を高め貫通穴８を起点とする亀裂等の発生を抑制することができる。
【００３３】
以上本考案の実施形態について詳述したが、本考案はこれらの説明に何ら限定されるものではない。例えば、側壁に設ける貫通穴の大きさや配置、また案内溝の形状等は適宜変更可能である。また本考案の側溝用ブロックは、側壁の上部に段差を設けて蓋を取り付けるようにすることも可能であり、また上部を開放したＵ字型に換えて暗渠型とすることも可能であるなど、請求の範囲の記載を逸脱せず、当業者が容易に想到できる範囲で種々の変形態様もこの考案に含まれる。
【符号の説明】
【００３４】
１      側溝用ブロック
２、３      側壁
２ａ      外面
４      底壁
６      流路
８、８Ａ、８Ｂ      貫通穴
１０      フィルタ
１２      案内溝（溝）
１３      窪み部
３０、３１、３２、３３      鉄筋
Ｐ１、Ｐ２      ピッチ
【図１】
0003232027.tif 000003
【図２】
0003232027.tif 000004
【図３】
0003232027.tif 000005
【図４】
0003232027.tif 000006
【図５】
0003232027.tif 000007
【図６】
0003232027.tif 000008
【手続補正書】
【提出日】令和3年1月26日(2021.1.26)
【手続補正１】
【補正対象書類名】実用新案登録請求の範囲
【補正対象項目名】全文
【補正方法】変更
【補正の内容】
【実用新案登録請求の範囲】
【請求項１】
対向する側壁と底壁とで流路を形成するコンクリート製の側溝用ブロックであって、
左右方向に対して上下方向が長い縦長形状を成し、前記側壁を内外に貫通する貫通穴と、
前記貫通穴の外側の開口部を覆うように配置され、水の通過を許容しつつ、所定の大きさ以上の土砂等の通過を規制するフィルタと、
一端が前記貫通穴と接続されるように前記側壁の外面に沿って形成された溝であって、前記貫通穴との接続部が他部よりも下方に位置する前記溝と、
を備えている、側溝用ブロック。
【請求項２】
前記貫通穴には、前記外面の異なる高さに形成された複数の前記溝が接続されている、請求項１に記載の側溝用ブロック。
【請求項３】
前記貫通穴は前記側溝用ブロックの長手方向に離隔して複数形成されており、隣接する一方の前記貫通穴から延び出した前記溝と、他方の前記貫通穴から延び出した前記溝とを互いに繋がる位置まで延び出させている、請求項１または請求項２に記載の側溝用ブロック。
【請求項４】
前記側壁の外面における前記貫通穴の周りに前記フィルタを収容可能な窪み部が形成されている、請求項１〜３の何れか一項に記載の側溝用ブロック。
【請求項５】
前記溝および前記窪み部は、対向する前記側壁の両方に形成されている、請求項４に記載の側溝用ブロック。
【請求項６】
側方視で前記貫通穴を囲むようにコンクリート内に埋設された鉄筋が更に備えられる、請求項１〜５のいずれかに記載の側溝用ブロック。
【請求項７】
側方視で上下方向に延びる前記鉄筋の、前記貫通穴を間に含む場合のピッチが、前記貫通穴を含まない場合のピッチよりも小さく設定されている、請求項６に記載の側溝用ブロック。
【請求項８】
前記貫通穴は前記側壁の外面から内面に向けて次第に小径となり、その上辺より下辺の傾斜が小さい請求項１〜７のいずれかに記載の側溝用ブロック。